(57)【要約】【課題】軽く、薄く、柔らかい、暖かいをテーマにした高級指向品の人気を得た寝具が長い間市販されて来ているが、相反し高級品なのに寝具がずれてベッドから外れ落ちて困っている事に対応する物である。【解決手段】雄面フアスナーを任意形状に型取りし、中央へ連結部を設け、寝具がずれてベッドから外れ落ちて困っていのを、何の方向へ引っ張っても剥がれ難くびくともしない布帛連結ベースで布団ずれを防御解決する方法で、布帛連結ベースを、ベッドカバー、毛布、上掛け布、布団の連結接合部に仲介布帛連結ベースを設置し、上掛け布を２Ｈ型、又、３Ｂ型で連結接合し、更に毛布、上掛け布と布団との連結接合に１Ｈ型接合し、各々、必要組数を接合し、びくともさせない布帛連結ベースによって布団ずれを解決する物である【選択図】図１
2013144090.tif 000002
【特許請求の範囲】
【請求項１】
雄面フアスナーを図５の１Ｈ型と図８の２Ｔ型の形状に、各々二つの型を型取りした、接合面を内側にして活用する事も出来ますが、二つの型の接合面を外側にした二つの型の図５と図８の中央に基本機能の連結部１３，１４を各々高周波熱溶着、ミシン縫製、カシメ等で設けた、布と布との布帛連結ベースを寝具と連結し合う要所の用途要所条件に連結し合う事が出来る形状にして、敷き布団、毛布、布団、ベッドボックスカバー等一連の接合位置、形状は任意で、１Ｈ型、２Ｔ型がお互いに連係し合い連結接合し、寝返りずれ防止が出来る機能で、寝具両側に総ての就寝者各自の身長に合わせた図１２、図２１の如く、胸部、腰部、足又隅部位置に連結接合の出来る布帛連結ベース併用の寝具である。
【請求項２】
軟質材である故に何の様な角度にも本体自体くねらせ対応出来る、２Ｔ型図８の１５の４１にはベッドカバー２３の４を接合し、図１０の１６の４０に快眠布図４の２の７を接合し、且つ、図１１の襞付き上掛け快眠布３０の襞部２１をも、図１３の１６の４０で図１１の３０の２１の如く挟み接合する事が出来て、１Ｈ型１１，１２の接合可能生地、図２の快眠布２の５，９，５と図２の快眠布団１の６，８，６を、各々合わせ接合する事で生地同士を何の方向へ強力に引っ張ろうとも剥がれ難い構造となり、用途要所の活用方法に合わせた形状、位置、組合せ方での接合連結方法で寝返り防止の寝具と布帛連結ベースの構成方法が最終的に決定される、寝返りずれ防止の布帛連結ベース併用の寝具である。
【請求項３】
軟材質でもある図５の１Ｈ型と図８の２Ｔ型を自由形状に型取りし、中央部に連結部を設け、
接合用途要所によっては、接合用途要所条件により形状を用途要所に合わせる必要から、接合形状を用途要所の形状に合わせ、基本接合機能は変える事を全くせずに、形状を自由に変える事が出来、２Ｔ型の横長形状１６、縦長形状１５二つの型の組合せで連結位置１４が何処の位置にあっても剥がれ難い機能は全く変わらない方式の寝返りずれ防止の布帛連結ベース併用の寝具である。
【請求項４】
図５の１Ｈ型、図８の２Ｔ型の布帛連結ベースの接合の出来る両外面に接合可能生地を接合し、布同士を引っ張り合うと中央部１３，１４に集中的に引っ張り作用が加わり、中央から外側の輪郭部１Ｈ型図５の１１の３１図７の１２の３２と２Ｔ型図８の横１６の３３と縦１５の３４の全周へ同時に向かって進む剥離作用が、布帛連結ベースの大きさで剥がれ難い接合強度が変わる方式の布と布との布帛連結ベース併用の寝返りずれ防止の寝具である。
【請求項５】
ベッドボックスカバー２３図１０，１１の４に連結接合されている２Ｔ型の１５から寝返り作用で引き上げられない様に、ベッドボックスカバー２３の裾廻りに図２０の袋状１７を作り紐１８を通し、紐出し口に紐出し口の破れ防止を兼ねる紐受けリング１９へ通してから戻り止めに、図２０の枠内図２０の片方の紐へもう一方の紐を４，５回廻して強く引き、もう一つの片側２８紐受けリングにも同様にして戻り止めをして結きベッドボックスのカバー寝返りずれ防止の寝具である。
【発明の詳細な説明】
【技術分野】
【０００１】    この発明は、軽く、薄く、柔らかい、暖かいをテーマにし、高級指向品の人気を得た寝具が長い間市販されて来ているが、寝具がずれて困るとのＴＶブログに掲載、又、その高級指向品を通販、ＴＶホームページなどで寝具ずれ防止を施した寝具であると広告されて来ているが、何れを見ても完全とは言い難い物である為に、びくともしない布帛連結ベースによる布団ずれ防止方法によって布団ずれを解決す構造に関する物である。
【背景技術】
【０００２】    今迄寝具のずれ防止解決に、寝具製造、各種販売ルートに関係される人々が、有効な手段方法を見え出す事が出来ずに今日に至っている。
布団ずれの課題は、面フアスナー誕生以前から問題とされていたが、この布帛連結ベースによる布団ずれ防止方法は、雄面フアスナーを主軸にした物で、面フアスナーを発表されてから特許期間を経過しながら数十年経過しており、【０００３】    世界の人々にも寝返り問題は存在しているが、又、寝具に携わる人々が世界で数千万人とも想定される中で、布団ずれで困っている人々を含むと数億人に成ると思われますが、この寝具課題に直接関係する人々で際も、今日まで完全な寝返り布団ずれ防止方法を見え出す事が出来なかった課題を布帛連結ベースで解決する物である。【０００４】    従来の面フアスナーの機能は、接合剥離の繰り返しであり、何の縁からでも摘み容易に剥離する事が出来る事を特長とする構成で、他に有ったとしてもマット等の滑り防止であり、これも剥離は容易であり、その要因は、摘む面積が極少で、剥される時に防御の手段が無い事と剥されまいとする接合面が全面で無く、一部である事で防御力が弱い状態で剥されて仕舞う為に剥離が容易になる様に構成されている。
【先行技術文献】
【０００５】
【特許文献１】特許公開２００２−１５９３９４号公報
【特許文献３】特許公開１０−３３７２３３号公報
【特許文献４】特許公開２００３−２４５１８０号公報
【特許文献５】出願（申請）番号特願２０１１−１６９６３７
【特許文献６】出願（申請）番号特願２０１１−２９０５０７
【特許文献７】特許５０−１５０５５７
【実用新案文献２】
公開平６−６２８８８号公報
【発明の概要】
【発明の解決しようとする課題】
【０００６】    此れは次の様な欠点があった。
従来の文献では、布団ずれ防止器具としてベッドサイド、布団縁廻り数ヶ所に手数の掛かる製造工程上複雑な連結具を設け、寝起きの動作や身長差に対しての考量が少なく、布団、マットレスカバー総てに複雑な連結部を設け、
【０００７】    紐等で結び固定した物や、ベルトとクリップを使用した簡単に寝返りで布団から外れる既製品のサスペンダークリップ等を使用した物等の、布団ずれ防止器具が申請している、何れも取り扱えが複雑であり、毎回の洗濯で取り外しに簡単に応えられる物では無く、出願（申請）番号特願２０１１−１６９６３７、】出願（申請）番号特願２０１１−２９０５０７に付いては、考案機能は同一であるが、申請記載方法の不備であった為に改めて再出願申請をする事に至り、考案内容を詳しく補充説明を以下の如く申しあげます。
【０００８】    引例文献の特開昭５０−１５０５５７（２）に付いては、雄面フアスナーに吊り下げ用引っ掛け部を設け、その一端面に雌面フアスナーをカーテン縁地に単に通常取り扱いの接合した物で、面フアスナーの接合力（せん断力）に依存した構成のカーテン吊りにした物であり、厚地の重い緞帳等には支えきれず、支えるには物凄い大きい接合面となり、又、開け閉めの際強く引っ張ると力が接合部に加わり面フアスナーの特長である簡単に剥離が出来るのが災いし、雄面フアスナーから簡単に雌面フアスナーが剥がれる構造の物で、従ってユーザーに簡単に受け入れられる内容の物ではなかった。
【課題を解決する為の手段】
【０００９】    布帛連結ベースは面フアスナー基本機能の正反対で布帛連結ベースの中央を牽引しても剥がれ難い機能構造にした物である。この布帛連結ベース形状は、自由形状の構造で中央部を引っ張ると中央からの引っ張りでは簡単には剥がれ難く、
【００１０】    布帛連結ベースとは雄フアスナーを一定形状に型抜きした一つ型、二つ型による布と布の仲介接合連結具である。
布帛連結ベースによる布団ずれ防止は、一連の寝具、敷き布団、敷き布団カバー、上掛け布団、毛布、布団カバー、等の接合位置、形状は任意で、寝具両側を布帛連結ベースで接合連結し、激しい寝返りでもびくともしない布団ずれ防止方法が出来るのと共に取扱い簡単で、身長差があっても大人、子供、総ての人々の各自に対応出来る布帛連結ベースで、就寝者各自の身長に合わせ自由に位置配置が出来る構成で、スムーズに抵抗感無く寝返りが出来る寝返りずれ防止方法の構造である。
【００１１】    雄面フアスナーの布帛連結ベースは、布と布との仲介連結具であり、接合用途要所によっては、形状を要所に合わせる必要性から、布帛連結ベース接合形状を要所に合わせ自由に変更できる構成で、形状を自由に変更しても接合機能は変わる事が全く無く、夫々の用途要所に合わせ型取りした、各々の布帛連結ベース中央の連結部１３、１４，を高周波熱溶着、ミシン縫製、カシメ等で、任意の係合方法で係止し、何の方向へ引っ張っても剥がれ難い構成で、
【００１２】    その剥がれ難い要因は中央の連結部１３、１４と２９連結部を、自由形状雄面フアスナーの布帛連結ベースの中央に設けた事で、引っ張り力が中央の連結部に集中的に引き剥そうと働く為であり、自由形状雄面フアスナーの布帛連結ベース面積が異なると引っ張り力と剥がれる時間が変わって来る機能構成で、
【００１３】    この布帛連結ベースが剥がれ終える迄の時間と剥がすのに要する力が、この機能構成を活用する時は用途要所の面積と力のバランスで、強く剥がれ難い布帛連結ベースと成り得る事であり、布帛連結ベースの形状が大きく成れば成るほど強く剥がれ難く、剥す時間が長く掛かる布帛連結ベースと成り、用途要所の必要引っ張り力以上の面積が必要で、適正な形状と大きさを選択し活用できる構成条件で、用途要所に対応出来る布帛連結ベースの構成である。
【００１４】  それは用途要所に合わせ型取りをした布帛連結ベース二つの型の不接合面合わせで、中央の連結部１３、１４を高周波熱溶着、ミシン縫製、カシメ等で係合係止し、一つの型の中央部２９には連結具２５を設置した構成の布帛連結ベースで、連結部１３、１４と２５連結具に集中的に引っ張り作用が始まり、全面積に渡って中央の連結部から外側の自由形状輪郭３１，３２，３３，３４，３５，３６へ進む作用が発生する為であり、この全面積の接合力が、剥れる迄の時間と引っ張る力は通常の面フアスナーと比べると、比較出来ないほど計りきれない内容の構成要素の違いが多く介在し、その要素が剥がれ難くしている。
【００１５】    又、用途要所に合わせ型取りをした布帛連結ベース一つの型の中央に連結部２９を設け、その連結部に連結具２５を設け、それに更にベルト２７を通した３Ｂ型布帛連結ベースの雄面フアスナー接合面１０に接合可能生地７を接合させ、快眠布図２の２の５、９、５と快眠布団図２の１の６、８、６接合して、何処からでも布帛同士を引っ張り合っても剥がれ難く、又、組合せ解除の時は総て簡単に剥がれる機能を合わせ持った布帛連結ベースで布団ずれ防止を解決する為の手段である。
【発明の効果】
【００１６】    寝具に布帛連結ベースを併用する事で就寝中の寝具が寝返り、寝相の悪さにより布団等がずれたり、乱れたりするのを完全に防止し、ずれたり、乱れたり等で健康阻害を予防する事ができ、今迄無かった簡単便利で安心を得られる有益な寝具である。
布帛連結ベースによる布団ずれ防止の方法は、布団、毛布、上掛け布等一連の接合位置、形状は任意で、ベッド両サイドで適正な引っ張りで係止している為に、寝返りで薄く、軽く、柔らかい毛布、上掛け快眠布等が絡み付きずれる事は無く、又、布団もずれる事も無く寝返りがスムーズで、体温が一定に保たれ、ずれる心配もなく安心して就寝が出来るびくともしない布団ずれ防止となり、且つ、日々３６５日ベッドメーキング状態を確保、布帛連結ベースによる布団ずれ防止を、第三者にはセットアップしている事を外見からは見分けが付かない構成の寝具である。
【００１７】    寝袋の床入り方式が不得意の方の事情によっては好みの床入れ側の胸位置か、又、腰位置迄の接合部を先に剥して置き、床入り後に接合面部を簡単に接合する事ができる、布団がずれる事が無い為に体温は一定に確保され、体を冷やして風邪など引き体調を崩す事も無く、又、ストレスも起こらず、寒さで就寝途中起きる事も無く、安心就寝が確保される構造の布帛連結ベースによるびくともしない布団ずれ防止方法の寝具である。
【図面の簡単な説明】
【００１８】
【図１】本考案の重ね寝具の正面図である。
【図２】本考案の重ね寝具の斜視図である。
【図３】本考案の快眠布上面平面図である。
【図４】本考案の快眠布下面平面図である。
【図５】本考案の１Ｈ型斜視図である。
【図６】１Ｈ型Ａ−Ｂの断面図である。
【図７】１Ｈ型柔軟材質を示す斜視図である。
【図８】本考案の２Ｔ型斜視図である。
【図９】２Ｔ型Ｃ−Ｄの断面図である。
【図１０】２Ｔ型を接合した断面図である。
【図１１】２Ｔ型の襞を応用接合の断面図である。
【図１２】快眠布に２Ｔ型を配置した斜視図である。
【図１３】図１２のＦ−Ｅ部の拡大斜視図である。
【図１４】本考案の３Ｂ型斜視図である。
【図１５】３Ｂ型Ｇ−Ｈの断面図である。
【図１６】３Ｂ型で快眠布をＵの字で接合した拡大斜視図である。
【図１７】図１５の拡大３Ｂ型接合部の断面図である。
【図１８】快眠布に３Ｂ型を配置した斜視図である。
【図１９】１Ｈ型を介しての快眠布と快眠布団の合わせの斜視図である。
【図２０】ベッドボックスカバー裏面図ある。
【図２１】２Ｔ型の位置配置の斜視図である。
【図２２】３Ｂ型のセットアップの断面図である。
【発明を実施するための形態技術分野】
【００１９】    以下、本発明を実施する為の最良の形態について説明する。
この発明は先に、出願（申請）番号特願２０１１−１６９６３７、と出願（申請）番号特願２０１１−２９０５０７で本考案の機能を説明しておりましたが説明記入記載方法の不備により改めて、具体的に寝具及び関係連結具に付いては以下の如くである。
従来の面フアスナーは接合、剥離の繰り返しを主体とした物で有り、それ以外の使用方法は見え当らず引っ張っても剥がれ難いものは、国内特許文献、通販、ＴＶ寝具ホームページ、新聞広告、寝具業界、国外でも見え当たらず開発されて居なかった、この剥がれ難い構造と簡単に剥離が出来る従来の面フアスナーを活用し併用する事で、新しい産業分野を開発出来る物と考えて、これを布団ずれ防止に活用する事にした。
【００２０】    布帛連結ベース基本機能は、接合位置、形状は任意で、布と布との仲介接合連結具であり、寝具間同士の接合用途要所によっては形状を要所に合わせる必要から、布帛連結ベースの接合形状を用途要所に合わせ、自由に形状の変更が出来た形状の中央に布と布との連結をする要の連結部１３，１４，２９を設け、その接合面に、各々布を接合し、引っ張っても剥がれ難い構成で、形状を自由に変更しても剥がれ難い機能は変わる事が全く無い構成で、
【００２１】    この剥がれ難い重要な共通機能構造は、要所に合わせた図５、図６、図７の１Ｈ型と図８、図９、図１０の２Ｔ型、更に図１４、図１５、図１６の３Ｂ型との３種の自由形状型は、本発明の寝返り布団ずれ防止の仲介接合連結具の基軸布帛連結ベースの構造とも言える物である。
【００２２】    この用途要所に合わせた形状の２Ｔ型、３Ｂ型、１Ｈ型の３型を仲介接合連結具の布帛連結ベースを活用した寝返り布団ずれびくもしない防止方法は、図１，２の様に寝具のベッドメーキング状態を常時寝返りで乱れ、ずれが起こらない様にキープする事でその方法は以下の如くである。
【００２３】    最初にベッドボックスカバー２３図１０，１１の４に連結接合されている２Ｔ型の１５寝返り作用で引き上げられない様に、ベッドボックスカバー図２０の２３の裾廻りに袋状１７を作り紐１８を通し、紐出し口に紐出し口の破れ防止を兼ねる紐受けリング１９へ通してから戻り止めに、図２０の枠内図の２０の様に片方の紐へもう一方の紐を４，５回廻して強く引き、もう一つの片側２８紐受けリングにも同様にして戻り止めをして結わき、
【００２４】    図１０の様にベッドボックスカバーの側面地４の自由位置に、布帛連結ベースの基軸構成である。図５、図６、図７の１Ｈ型二つの型１１と１２と２Ｔ型の横長形状１６縦長形状１５の組合せで、二つの型を自由に組合せする事が出来る。各々の二つの型の中央の自由位置の連結部１３，１４を設け、接合面を外面にし連結部を高周波熱溶着、カスメ、ミシン縫製等で係合係止して、
【００２５】２Ｔ型１５を接合し、快眠布２の７に２Ｔ型の１６を接合する。１Ｈ型１１，１２の接合可能生地、図２の快眠布２の５，９，５と図２の快眠布団１の６，８，６を合わせ接合する事で生地同士を何の方向へ強力に引っ張ろうとも剥がれ難い構造となり、２Ｔ型の横長形状１６、縦長形状１５二つの型の組合せ連結位置１４が何処の位置にあっても剥がれ難い機能は全く変わらず、用途要所の活用方法に合わせた形状、位置、組合せ方での接合連結方法で寝返り防止の寝具と布帛連結ベースの構成方法が最終的に決定される。
【００２６】    寝返りで快眠布２が反対側図１０の矢印の方向へ寝返りで引っ張られても、剥離されるところか反対に、２Ｔ型の１５、１６はベッドの角に快眠布２により引っ張られる力で圧迫し押さい込まれて接合を、更に、強力に剥がれ難くする相乗効果が発生する、２Ｔ型、１Ｈ型、３Ｂ型による寝返り布団ずれ防止方法の構造である。
【００２７】    更に、快眠布２の接合可能生地７の接合面を変えた、図１１の上掛け快眠布３０の襞２１に、２Ｔ型の柔軟な材質である特性を生かして、２Ｔ型１６で図１３の様に襞２１をＵの字の様に本体を変えくねらせて挟む事が出来る、又、３Ｂ型もＵの字の形で挟む方法は図１６と同一で、快眠布の下面、図４の７平面部、図１６の快眠布２の７を二つ折にした形状も同様接合する事が出来、強力に剥がれ難くする相乗効果の要因も図１０の機能構造と作用が同一である。
【００２８】    上掛け快眠布３０の襞部２１を接合した、２Ｔ型の設置位置配列は、図１３の１６の接合方法で襞部２１を挟み、片側を図１２の２Ｔ−１胸部２Ｔ−２腰部２Ｔ−３足又隅部の順で総ての就寝者各自の身長に合う様に配置し、もう一方の片側も同様に接合配置した、寝返り布団ずれを防止する方法の布帛連結ベースの構造である。
【００２９】    図１４の３Ｂ型の特性は１Ｈ型、２Ｔ型同様機能で、図１４と図１６連結具２５とベルト２７を介して図１７、図１８の２の７平面接合から角度の少ない図１６快眠布２の７を挟みやすい様に二つ折にした形状まで、広範囲角度に接合可能である事と図１１の上掛け快眠布３０襞部２１をも挟む事が出来る図２２広角連結接合方法の３Ｂ型の布帛連結ベースの構造である。
【００３０】    ３Ｂ型の設置配列は、図１８の様に快眠布２の接合可能生地図４の２の７への平面接合方法で、片側を３Ｂ−１胸部３Ｂ−２腰部３Ｂ−３足又隅部の順で、総ての就寝者各自の身長に合う様に位置を配置し、もう一方の片側へも図１８の２４の下へ片方の接合面付きベルト２７を潜らせ廻し出して、同様に接合設置する布帛連結ベースで、
【００３１】    図２、図３、図１９の様に快眠布２の接合可能生地５，９，５に１Ｈ型図５の１１，１２の１２を接合し、更に１Ｈ型１１に快眠布団図２の１の６，８，６を接合可能生地に接合する３Ｂ型、１Ｈ型の布帛連結ベース寝返り布団ずれ防止の寝具構成である。
【００３２】    更に、３Ｂ型図１４，１５，１６を活用した寝返り布団ずれびくともしない防止方法はユーザーの既成所有の敷布団、マットレス、敷布団カバーを活かした経済的寝具の布団ずれびくともしない防止方法のセット図２２で、最初に図４、図１６の快眠布２の７の接合可能生地中央を接合容易にする為に二つ折りにし、３Ｂ型２６の接合面１０で挟む様に接合する方法で、図１１の上掛け快眠布３０襞２１を柔軟素材の特性を活かして、襞２１部を挟み接合し、
【００３３】    図１８の様に片側に、総ての各自就寝者の身長に合う様に自由に合わせられる位置に配置した構成で、３Ｂ−１胸部、３Ｂ−２腰部、３Ｂ−３足又隅部位置に配置し、もう一方の片側へは敷き布団、マットレス等の下図１８の２４へ、図１６の接合面付きベルト２７を潜らせ廻しくぐり抜けてから、図２２の様に両側へ設置して、図２、図３、図１９の様に快眠布２の接合可能生地５，９，５、又、図１１の３０の５に１Ｈ型図５、７の１２を接合し、更に１Ｈ型１１に快眠布団図２の１の６，８，６を、接合する寝返り布団ずれ防止の寝具と布帛連結ベース併用の構造である。
【符号の説明】
【００３４】    １    快眠布団
２    快眠布
３    枕
４    ベットボックスカバー接合可能生地部
５    快眠布の接合可能生地４隅部
６    快眠布団の接合可能生地４隅部
７    快眠布下面の接合可能生地
８    快眠布団接合部２ヶ所
９    快眠布上面の連結接合中央部２ヶ所
１０  ３Ｂ接合面
１１  １Ｈ型Ａ面
１２  １Ｈ型Ｂ面
１３  １Ｈ型の中央の連結部
１４  ２Ｔ型の中央の連結部
１５  ２Ｔ型縦長形状
１６  ２Ｔ型横長形状
１７  ベッドボックスカバーの紐通し袋
１８  ベッドボックスカバーの紐
１９  紐受けリング
２０  ベッドボックスカバー紐の巻き方
２１  上掛け快眠布けひだ部
２２  敷布、マットレスカバーの接合部
２３  ベッドボックスカバー
２４  敷布、ベッドマットレス
２５  ３Ｂ型の連結具
２６  ３Ｂ型
２７  ３Ｂ型ベルト
２８  紐受けリング
２９  ３Ｂ型中央の連結部
３０  上掛け快眠布
３１  １Ｈ型Ａ面輪郭
３２  １Ｈ型Ｂ面輪郭
３３  ２Ｔ型横形輪郭
３４  ２Ｔ型縦形輪郭
３５  ３Ｂ型の輪郭
３６  ３Ｂ型の輪郭
３７  敷布団、マットレスカバー
３８  １Ｈ型の接合面Ａ
３９  １Ｈ型の接合面Ｂ
４０  ２Ｔ型横形接合面
４１  ２Ｔ型縦形接合面
Ａ−Ｂ  １Ｈ型の断面図
Ｃ−Ｄ  ２Ｔ型断面図
Ｅ−Ｆ  ３Ｂ型の断面図
Ｇ−Ｈ  ３Ｂ型断面図
２Ｔ−１  胸位置
２Ｔ−２  腰位置
２Ｔ−３  足又隅位置
３Ｂ−１  胸位置
３Ｂ−２  腰位置
３Ｂ−３  足又隅位置
１Ｈ  １Ｈ型
２Ｔ  ２Ｔ型
３Ｂ  ３Ｂ型
【図１】
2013144090.tif 000003
【図２】
2013144090.tif 000004
【図３】
2013144090.tif 000005
【図４】
2013144090.tif 000006
【図５】
2013144090.tif 000007
【図６】
2013144090.tif 000008
【図７】
2013144090.tif 000009
【図８】
2013144090.tif 000010
【図９】
2013144090.tif 000011
【図１０】
2013144090.tif 000012
【図１１】
2013144090.tif 000013
【図１２】
2013144090.tif 000014
【図１３】
2013144090.tif 000015
【図１４】
2013144090.tif 000016
【図１５】
2013144090.tif 000017
【図１６】
2013144090.tif 000018
【図１７】
2013144090.tif 000019
【図１８】
2013144090.tif 000020
【図１９】
2013144090.tif 000021
【図２０】
2013144090.tif 000022
【図２１】
2013144090.tif 000023
【図２２】
2013144090.tif 000024
【手続補正書】
【提出日】平成24年10月10日(2012.10.10)
【手続補正１】
【補正対象書類名】特許請求の範囲
【補正対象項目名】請求項６
【補正方法】変更
【補正の内容】
【請求項６】
３Ｂ型接合片２６をアジャスター本体４４の片方の連結部に取り付け、もう一方のアジャスターベルト調節部４９に、３Ｂ型ベルト２７を連結し、更に、ベルト固定板４７のベルト固定板開口部４８に３Ｂ型ベルト２７を通し、接合片部とベルト接合部４６を夫々任意係合し、ベッド４３とベットマット４２の間に挿入し、３Ｂ型接合片２６で上掛け快眠布襞部挟み、脱着部４５で床入り寝起きが容易に出来る布団ずれ防止の布帛連結接合具である。
【手続補正書】
【提出日】平成24年10月10日(2012.10.10)
【手続補正１】
【補正対象書類名】図面
【補正対象項目名】図２３
【補正方法】追加
【補正の内容】
【図２３】
2013144090.tif 000025
【手続補正書】
【提出日】平成24年10月10日(2012.10.10)
【手続補正１】
【補正対象書類名】明細書
【補正対象項目名】００１８
【補正方法】変更
【補正の内容】
【００１８】
【図１】本考案の重ね寝具の正面図である。
【図２】本考案の重ね寝具の斜視図である。
【図３】本考案の快眠布上面平面図である。
【図４】本考案の快眠布下面平面図である。
【図５】本考案の１Ｈ型斜視図である。
【図６】１Ｈ型Ａ−Ｂの断面図である。
【図７】１Ｈ型柔軟材質を示す斜視図である。
【図８】本考案の２Ｔ型斜視図である。
【図９】２Ｔ型Ｃ−Ｄの断面図である。
【図１０】２Ｔ型を接合した断面図である。
【図１１】２Ｔ型の襞を応用接合の断面図である。
【図１２】快眠布に２Ｔ型を配置した斜視図である。
【図１３】図１２のＦ−Ｅ部の拡大斜視図である。
【図１４】本考案の３Ｂ型斜視図である。
【図１５】３Ｂ型Ｇ−Ｈの断面図である。
【図１６】３Ｂ型で快眠布をＵの字で接合した拡大斜視図である。
【図１７】図１５の拡大３Ｂ型接合部の断面図である。
【図１８】快眠布に３Ｂ型を配置した斜視図である。
【図１９】１Ｈ型を介しての快眠布と快眠布団の合わせの斜視図である。
【図２０】ベッドボックスカバー裏面図ある。
【図２１】２Ｔ型の位置配置の斜視図である。
【図２２】３Ｂ型のセットアップの断面図である。
【図２３】ベッドとベッドマットセットの布団ずれ防止連結接合具の斜視図である。
【手続補正２】
【補正対象書類名】明細書
【補正対象項目名】００３２
【補正方法】変更
【補正の内容】
【００３２】  更に、３Ｂ型図１４，１５，１６を活用した寝返り布団ずれびくともしない防止方法はユーザーの既成所有の敷布団、マットレス、敷布団カバー、ベッド、ベッドマットを活かした、経済的寝具の布団ずれびくともしない防止方法の３Ｂ型のセットアップの断面図２２と図２３では、寝返りで３Ｂ型ベルト２７付きの３Ｂ型接合面２６が引っ張られても、３Ｂ型ベルト２７の片方にベルト固定板４７を設け、ベッドとベッドマットの間に押し入れる事で３Ｂ型接合片２６は不動となり、３Ｂ接合面１０を容易に剥がす事も出来るが、連結具（アジャスター本体）４４を併用する事で、脱着部４５を両側から指で押す事で、床の寝起きが容易であり、アジャスターベルト調節部４９でベルトの長さを調節が出来る。又、図２２で  最初に図４、図１６の快眠布２の７の接合可能生地中央を接合容易にする、二つ折りにし、３Ｂ型２６の接合面１０で挟む様に接合する方法で、図１１の上掛け快眠布３０襞２１を柔軟の特性を活かして、襞２１部をはさみ接合し、
【手続補正３】
【補正対象書類名】明細書
【補正対象項目名】００３４
【補正方法】変更
【補正の内容】
【００３４】１    快眠布団
２    快眠布
３    枕
４    ベットボックスカバー接合可能生地部
５    快眠布の接合可能生地４隅部
６    快眠布団の接合可能生地４隅部
７    快眠布下面の接合可能生地
８    快眠布団接合部２ヶ所
９    快眠布上面の連結接合中央部２ヶ所
１０  ３Ｂ接合面
１１  １Ｈ型Ａ面
１２  １Ｈ型Ｂ面
１３  １Ｈ型の中央の連結部
１４  ２Ｔ型の中央の連結部
１５  ２Ｔ型縦長形状
１６  ２Ｔ型横長形状
１７  ベッドボックスカバーの紐通し袋
１８  ベッドボックスカバーの紐
１９  紐受けリング
２０  ベッドボックスカバー紐の巻き方
２１  上掛け快眠布けひだ部
２２  敷布、マットレスカバーの接合部
２３  ベッドボックスカバー
２４  敷布、ベッドマットレス
２５  ３Ｂ型の連結具
２６  ３Ｂ型
２７  ３Ｂ型ベルト
２８  紐受けリング
２９  ３Ｂ型中央の連結部
３０  上掛け快眠布
３１  １Ｈ型Ａ面輪郭
３２  １Ｈ型Ｂ面輪郭
３３  ２Ｔ型横形輪郭
３４  ２Ｔ型縦形輪郭
３５  ３Ｂ型の輪郭
３６  ３Ｂ型の輪郭
３７  敷布団、マットレスカバー
３８  １Ｈ型の接合面Ａ
３９  １Ｈ型の接合面Ｂ
４０  ２Ｔ型横形接合面
４１  ２Ｔ型縦形接合面
４２．ベッドマット
４３．ベッド
４４．アジャスター本体
４５．脱着部
４６．接合片部とベルト接合部
４７．ベルト固定板
４８．ベルト固定板開口郎
４９。アジャスターベルト調節部
Ａ−Ｂ  １Ｈ型の断面図
Ｃ−Ｄ  ２Ｔ型断面図
Ｅ−Ｆ  ３Ｂ型の断面図
Ｇ−Ｈ  ３Ｂ型断面図
２Ｔ−１  胸位置
２Ｔ−２  腰位置
２Ｔ−３  足又隅位置
３Ｂ−１  胸位置
３Ｂ−２  腰位置
３Ｂ−３  足又隅位置
１Ｈ  １Ｈ型
２Ｔ  ２Ｔ型
３Ｂ  ３Ｂ型
【手続補正書】
【提出日】平成24年12月4日(2012.12.4)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
雄面フアスナーを図１４の３Ｂ型形状に型取りした、各々の二つの型の中央２９の連結部に、夫々連結具２５を設け、更に、各々の二つの連結具２５へ一定用尺のベルト２７の両側に設けた二つの３Ｂ型を布と布との連結接合の布帛連結ベースを寝具と連結し合う要所の用途要所条件に連結し合う事が出来る形状にして、一連の敷き布団、毛布、布団、ベッドボックスカバー等接合位置、形状は任意で、１Ｈ型と共にお互いに連結接合し合い、図１４，１６の３Ｂを図１８の様に片方側に図１６の２の７に接合する方法で、接合面付きベルトをマットレスの下図１８の２４に廻し潜らせ出して、図２２寝具両側に図１８の方式で、総ての就寝者各自の身長に合わせた、３Ｂ−１胸部３Ｂ−２腰部３Ｂ−３足又は隅部位置に連結接合する布と布との３Ｂ型１Ｈ型の布帛連結ベース併用の寝返りずれ防止の寝具である。
【請求項２】
図１４，１６，１７、の３Ｂの接合面１０に、図４の寝具快眠布２の接合面７の平面を接合し、且つ、図１６の様に、図４の２の接合面７を接合容易にする為に、図１６の様に二つ折りにして挟む事も出来て、又、図１１の襞付き上掛け快眠布３０の襞部２１を本体自体くねらせ、何の様な変形角度にも広角接合方式で対応し、１Ｈ型１１，１２の接合可能生地、図２の快眠布２の５、９，５と図２の快眠布団１の６，８，６を、各々合わせ接合する事で生地同士を何の方向へ強力に引っ張ろうとも剥がれ難い構造となり、用途要所の活用方法に合わせた形状、位置、組合せ方での接合連結方法は寝返り防止の寝具と布帛連結ベースの構造方法が最終的に決定される布帛連結ベース併用の寝具である。
【請求項３】
布帛連結ベースは軟質材で、接合用途要所条件によって形状を用途要所に合わせる必要から、布帛連結ベースの形状を用途要所の接合用途要所条件によって、形状を自由に変更しても何の様な角度にも対応し、基本接合力機能は変わる事は全くなく、形状を自由に変える事が出来る方式の軟質材でもある図１４の３Ｂ型を自由形状に型取りし、中央部に連結部を設け、接合用途要所よっては、接合用途要所条件により形状を用途要所に合わせる必要から、接合形状を用途要所の形状に合わせ、形状を自由に変える事が出来る布と布との布帛連結ベースの併用寝返りずれ防止の寝具である。
【請求項４】
図１４の３Ｂ型形状の中央部２９を強く引っ張ると中央部に集中的に引っ張り作用が加わり、図１４の矢印の縦方向への引っ張りは最も強く剥がれ難く、中央から外側の対称２片の輪郭部全周３５，３６へ同時に向かって進む剥離作用が、布帛連結ベースの適正な用途の大きさで、剥がれ難い接合強度となる方式の布と布との布帛連結ベースの寝返りずれ防止の寝具である。
【請求項５】
ベッドボックスカバー２３図１０，１１の４に連結されている、寝返りで２Ｔ型の１５寝返り作用で引き上げられない様に、ベッドボックスカバー２３の裾周りに図２０の袋状１７を作り紐１８を通し、紐出し口に紐出し口の破れ防止を兼ねる紐受けリング１９へ通してから戻り止めに、図２０の枠内図２０の片方の紐へもう一方の紐を４，５回廻して強く引き、もう一方の片側２８紐受けリングにも同様にして戻り止めをして結きベッドボックスカバーを固定した寝返りずれ防止の寝具である。
【請求項６】
３Ｂ型接合片２６をアジャスター本体４４の片方の連結部に取り付け、もう一方のアジャスターベルト調節部４９に、３Ｂ型ベルト２７を連結し、更に、ベルト固定版４７のベルト固定版開口部４８に３Ｂ型ベルト２７を通し、接合片部とベルト接合部４６を夫々任意接合し、ベッド４３とベットマット４２の間に挿入し、３Ｂ型接合片２６で上掛け快眠布襞部挟み脱着部４５で床入り寝起きが容易に出来る布団ずれ防止の布帛連結接合具である。